(57)【特許請求の範囲】
【請求項１】
長尺状の印刷媒体を搬送する搬送手段と、
前記搬送手段で搬送される印刷媒体に印刷を行う印刷手段と、
前記印刷手段に対し、印刷媒体の搬送方向に沿った一方の側に設けられ、印刷媒体に接触する清掃位置と印刷媒体から離間する退避位置との間で移動する清掃手段と、
前記清掃手段に対し、印刷媒体の搬送方向に沿った一方の側に設けられ、前記搬送手段で印刷媒体が搬送されることで、退避位置に移動した前記清掃手段に近づく方向へ変位する印刷媒体を押さえるガイド手段とを備え、
前記搬送手段は、長尺状の印刷媒体を繰り出す方向へ搬送する正方向への搬送と、正方向への搬送によって繰り出された印刷媒体を巻き取る方向へ搬送する逆方向への搬送とを行い、
前記ガイド手段は、正方向への搬送に対して前記清掃手段の下流側に設けられた第１のガイド部材と、正方向への搬送に対して前記清掃手段の上流側に設けられた第２のガイド部材を備え、
印刷媒体が前記搬送手段で逆方向に搬送されて撓むと、当該印刷媒体の撓んだ部分が前記第２のガイド部材で押さえられ、
前記印刷手段は、前記搬送手段で正方向に搬送される印刷媒体に印刷を行う
ことを特徴とするプリンタ。
【請求項２】
前記ガイド手段は、印刷媒体の搬送に従動して回転するローラで構成される
ことを特徴とする請求項１に記載のプリンタ。
【請求項３】
前記ガイド手段は、軸方向に沿った少なくとも１か所を径方向に拡径させて、印刷媒体に接触する接触部を備えた
ことを特徴とする請求項２に記載のプリンタ。
【請求項４】
長尺状の印刷媒体を搬送する搬送手段と、
前記搬送手段で搬送される印刷媒体に印刷を行う印刷手段と、
前記印刷手段に対し、印刷媒体の搬送方向に沿った一方の側に設けられ、印刷媒体に接触する清掃位置と印刷媒体から離間する退避位置との間で移動する清掃手段と、
前記清掃手段に対し、印刷媒体の搬送方向に沿った一方の側に設けられ、前記搬送手段で搬送される印刷媒体を押さえるガイド手段とを備え、
前記搬送手段は、印刷媒体を繰り出す方向へ搬送する正方向への搬送と、正方向への搬送によって繰り出された印刷媒体を巻き取る方向へ搬送する逆方向への搬送とを行い、
前記ガイド手段は、印刷媒体の正方向への搬送及び逆方向への搬送に従動して回転するローラであって、正方向への搬送に対して前記清掃手段の上流側に設けられ、前記ローラの軸方向に沿った少なくとも１か所を径方向に拡径させて、印刷媒体の印刷がなされる側の面に接触する接触部を備え、
印刷媒体が前記搬送手段で逆方向に搬送されて撓むと、当該印刷媒体の撓んだ部分が前記ガイド手段で押さえられ、
前記印刷手段は、前記搬送手段で正方向に搬送される印刷媒体に印刷を行う
ことを特徴とするプリンタ。
【発明の詳細な説明】
【技術分野】
【０００１】
本発明は、長尺状の印刷媒体を搬送して印刷を行うプリンタに関する。
【背景技術】
【０００２】
熱転写式のインクリボンを使用するプリンタでは、用紙にゴミ等の異物が付着していると、異物の付着箇所及びその周辺部に印刷が行われない印刷抜けと称す事象が発生し、印刷品位が低下する。
【０００３】
このため、スポンジ等の清掃部材を用紙に接触させた状態で用紙を搬送し、異物を除去する技術が提案されている（例えば、特許文献１参照）。
【先行技術文献】
【特許文献】
【０００４】
【特許文献１】特開平１１−１６５４４９号公報
【発明の概要】
【発明が解決しようとする課題】
【０００５】
用紙を正方向と逆方向に繰り返し搬送して印刷を行う動作で、逆方向に搬送される用紙が清掃部材に接触すると、用紙に付着していた異物が清掃部材の一方の端部に付着する可能性がある。
【０００６】
用紙を逆方向に搬送する動作で清掃部材の一方の端部に異物が付着すると、当該用紙を正方向に搬送する動作では、清掃部材において、搬送方向の搬送先の側に異物が付着した状態となる。
【０００７】
これにより、清掃部材を用紙に接触させ、当該用紙を正方向に搬送して印刷を行う動作で、清掃部材に付着している異物が用紙に付着する可能性がある。印刷ヘッド上流側で用紙に異物が付着すると、異物が付着した箇所及びその周辺部で印刷抜けが発生し、印刷品位が低下する可能性があった。
【０００８】
本発明は、このような課題を解決するためなされたもので、印刷媒体の印刷面を清掃する清掃部材への異物の付着を抑制できるようにしたプリンタを提供することを目的とする。
【課題を解決するための手段】
【０００９】
上述した課題を解決するため、本発明は、長尺状の印刷媒体を搬送する搬送手段と、搬送手段で搬送される印刷媒体に印刷を行う印刷手段と、印刷手段に対し、印刷媒体の搬送方向に沿った一方の側に設けられ、印刷媒体に接触する清掃位置と印刷媒体から離間する退避位置との間で移動する清掃手段と、清掃手段に対し、印刷媒体の搬送方向に沿った一方の側に設けられ、搬送手段で印刷媒体が搬送されることで、退避位置に移動した清掃手段に近づく方向へ変位する印刷媒体を押さえるガイド手段とを備え、搬送手段は、長尺状の印刷媒体を繰り出す方向へ搬送する正方向への搬送と、正方向への搬送によって繰り出された印刷媒体を巻き取る方向へ搬送する逆方向への搬送とを行い、ガイド手段は、正方向への搬送に対して清掃手段の下流側に設けられた第１のガイド部材と、正方向への搬送に対して清掃手段の上流側に設けられた第２のガイド部材を備え、印刷媒体が搬送手段で逆方向に搬送されて撓むと、当該印刷媒体の撓んだ部分が第２のガイド部材で押さえられ、印刷手段は、搬送手段で正方向に搬送される印刷媒体に印刷を行うプリンタである。
【００１０】
また、本発明は、長尺状の印刷媒体を搬送する搬送手段と、搬送手段で搬送される印刷媒体に印刷を行う印刷手段と、印刷手段に対し、印刷媒体の搬送方向に沿った一方の側に設けられ、印刷媒体に接触する清掃位置と印刷媒体から離間する退避位置との間で移動する清掃手段と、清掃手段に対し、印刷媒体の搬送方向に沿った一方の側に設けられ、搬送手段で搬送される印刷媒体を押さえるガイド手段とを備え、搬送手段は、印刷媒体を繰り出す方向へ搬送する正方向への搬送と、正方向への搬送によって繰り出された印刷媒体を巻き取る方向へ搬送する逆方向への搬送とを行い、ガイド手段は、印刷媒体の正方向への搬送及び逆方向への搬送に従動して回転するローラであって、ローラの軸方向に沿った少なくとも１か所を径方向に拡径させて、印刷媒体の印刷がなされる側の面に接触する接触部を備え、印刷媒体が搬送手段で逆方向に搬送されて撓むと、当該印刷媒体の撓んだ部分がガイド手段で押さえられ、印刷手段は、搬送手段で正方向に搬送される印刷媒体に印刷を行うプリンタである。
【発明の効果】
【００１１】
本発明では、退避位置に移動させた清掃手段に印刷媒体が接触することがガイド手段により抑制されるので、印刷媒体に付着している異物が清掃手段に付着することを抑制できる。また、清掃手段に既に付着している異物が印刷媒体に付着することを抑制できる。これにより、清掃手段を清掃位置へ移動させての清掃動作で、印刷媒体に異物が付着することを抑制することができる。従って、印刷媒体の印刷面に異物が付着することに起因する印刷抜けの発生を抑制することができる。更に、本発明は、ガイド手段と印刷媒体との接触面積を少なくすることができ、印刷媒体の印刷がなされる側の面に跡が付くことを抑制することができる。
【図面の簡単な説明】
【００１２】
【図１】本実施の形態のプリンタの一例を示す構成図である。
【図２】本実施の形態のプリンタの一例を示す構成図である。
【図３】本実施の形態のプリンタの一例を示す構成図である。
【図４】本実施の形態のプリンタの一例を示す構成図である。
【図５】本実施の形態のインクリボンカセットの一例を示す構成図である。
【図６】本実施の形態のインクリボンカセットの一例を示す構成図である。
【図７】従動押さえローラ及びガイドローラの一例を示す構成図である。
【図８】従動押さえローラ及びガイドローラの一例を示す構成図である。
【図９】本実施の形態のプリンタの機能の一例を示す構成図である。
【図１０】本実施の形態のプリンタの動作例を示す構成図である。
【図１１】本実施の形態のプリンタの動作例を示す構成図である。
【図１２】本実施の形態のプリンタの動作例を示す構成図である。
【図１３】本実施の形態のプリンタと従来の対比例を示す動作説明図である。
【図１４】従動押さえローラ及びガイドローラの変形例を示す構成図である。
【図１５】従動押さえローラ及びガイドローラの変形例を示す構成図である。
【図１６】従動押さえローラ及びガイドローラの変形例を示す構成図である。
【発明を実施するための形態】
【００１３】
以下に、図面を参照して本発明のプリンタの実施の形態について説明する。
【００１４】
＜本実施の形態のプリンタの構成例＞
図１〜図４は、本実施の形態のプリンタの一例を示す構成図である。ここで、図１は、本実施の形態のプリンタにおいて、カバーを開けた状態を背面から見た斜視図、図２は、本実施の形態のプリンタにおいて、カバーを閉じた状態を正面から見た斜視図である。また、図３は、本実施の形態のプリンタの用紙及びインクリボンテープの搬送経路を模式的に示す側面図、図４は、本実施の形態のプリンタの要部分解斜視図である。
【００１５】
更に、図５〜図６は、本実施の形態のインクリボンカセットの一例を示す構成図である。ここで、図５は、本実施の形態のインクリボンカセットの分解斜視図、図６は、本実施の形態のインクリボンカセットの外観斜視図である。
【００１６】
まず、インクリボンカセット１０Ａの構成について説明すると、本実施の形態のインクリボンカセット１０Ａは、インクリボン１Ａが着脱可能に収納される本体ケース１１を備える。
【００１７】
インクリボン１Ａは、インクリボンテープ２が巻かれる繰り出し芯部２０と、インクリボンテープ２が巻き取られる巻き取り芯部２１を備える。
【００１８】
インクリボンテープ２は、本例では、熱と圧力で印刷対象物に転写可能なインクが、薄膜状で長尺の媒体に塗布されて構成される。
【００１９】
繰り出し芯部２０は芯部の一例で、新規の使用開始時には、使用前のインクリボンテープ２が巻かれる。繰り出し芯部２０は、紙、樹脂等の円筒状の部材で構成される。巻き取り芯部２１は芯部の一例で、使用後のインクリボンテープ２が巻かれる。巻き取り芯部２１は、紙、樹脂等の円筒状の部材で構成される。
【００２０】
インクリボンカセット１０Ａは、繰り出し芯部２０の一方の端部及び巻き取り芯部２１の一方の端部にそれぞれ取り付けられる第１の連結部材１２と、繰り出し芯部２０の他方の端部及び巻き取り芯部２１の他方の端部にそれぞれ取り付けられる第２の連結部材１３を備える。
【００２１】
本体ケース１１は、インクリボンテープ２が巻かれる繰り出し芯部２０が収納される第１の収納部１４と、インクリボンテープ２が巻かれる巻き取り芯部２１が収納される第２の収納部１５を備える。
【００２２】
また、本体ケース１１は、第１の収納部１４と第２の収納部１５の間に、第１の収納部１４に収納された繰り出し芯部２０から繰り出され、第２の収納部１５に収納された巻き取り芯部２１に巻き取られるインクリボンテープ２を露出させるテープ搬送部１６を備える。
【００２３】
更に、本体ケース１１は、第１の収納部１４を開閉する第１のカバー１７と、第２の収納部１５を開閉する第２のカバー１８を備える。
【００２４】
本体ケース１１は、インクリボンテープ２の搬送方向に対して上流側に、インクリボンテープ２が巻かれる繰り出し芯部２０が収納可能な形状の凹部を設けて第１の収納部１４が構成される。
【００２５】
また、本体ケース１１は、第１の収納部１４に収納される繰り出し芯部２０の軸方向の一方の端部と対向して、第１の収納部１４の幅方向の一方の端部に、繰り出し芯部２０に取り付けられる第１の連結部材１２を支持する第１の受け部１４ａが形成される。更に、本体ケース１１は、第１の収納部１４に収納される繰り出し芯部２０の軸方向の他方の端部と対向して、第１の収納部１４の幅方向の他方の端部に、繰り出し芯部２０に取り付けられる第２の連結部材１３を支持する第２の受け部１４ｂが形成される。
【００２６】
本体ケース１１は、インクリボンテープ２の搬送方向に対して下流側に、インクリボンテープ２が巻かれる巻き取り芯部２１が収納可能な形状の凹部を設けて第２の収納部１５が構成される。
【００２７】
また、本体ケース１１は、第２の収納部１５に収納される巻き取り芯部２１の軸方向の一方の端部と対向して、第２の収納部１５の幅方向の一方の端部に、巻き取り芯部２１に取り付けられる第１の連結部材１２を支持する第１の受け部１５ａが形成される。更に、本体ケース１１は、第２の収納部１５に収納される巻き取り芯部２１の軸方向の他方の端部と対向して、第２の収納部１５の幅方向の他方の端部に、巻き取り芯部２１に取り付けられる第２の連結部材１３を支持する第２の受け部１５ｂが形成される。
【００２８】
第１の連結部材１２は、繰り出し芯部２０の軸方向の一方の端部に挿入される芯取付部１２ａと、繰り出し芯部２０の軸方向の取付位置を規制するフランジ部１２ｂと、本体ケース１１の第１の受け部１４ａに支持される軸支部１２ｃと、駆動力が伝達されるギア１２ｄと、プリンタ１００Ａに支持される軸部１２ｅを備える。なお、巻き取り芯部２１の軸方向の一方の端部に取り付けられる第１の連結部材１２も同様の構成である。
【００２９】
第２の連結部材１３は、繰り出し芯部２０の軸方向の他方の端部に挿入される芯取付部１３ａと、繰り出し芯部２０の軸方向の取付位置を規制するフランジ部１３ｂと、本体ケース１１の第２の受け部１４ｂに支持される軸支部１３ｃと、駆動力が伝達されるギア１３ｄと、プリンタ１００Ａに支持される軸部１３ｅを備える。なお、巻き取り芯部２１の軸方向の他方の端部に取り付けられる第２の連結部材１３も同様の構成である。
【００３０】
第１のカバー１７は、本例では、支点部１７ａを支点とした回転で第１の収納部１４を開閉可能に、本体ケース１１に取り付けられる。なお、図５では、第１のカバー１７を本体ケース１１から取り外した形態で図示しているが、第１のカバー１７は、支点部１７ａを外さなくても開閉が可能である。第１のカバー１７は、ロック部１７ｂが本体ケース１１に係止されることで、第１の収納部１４を閉状態で保持する。
【００３１】
第２のカバー１８は、本例では、支点部１８ａを支点とした回転で第２の収納部１５を開閉可能に、本体ケース１１に取り付けられる。なお、図５では、第２のカバー１８を本体ケース１１から取り外した形態で図示しているが、第２のカバー１８は、支点部１８ａを外さなくても開閉が可能である。第２のカバー１８は、ロック部１８ｂが本体ケース１１に係止されることで、第２の収納部１５を閉状態で保持する。
【００３２】
インクリボンカセット１０Ａは、第１のカバー１７を開けることで、インクリボン１Ａの繰り出し芯部２０の第１の収納部１４への着脱が可能となる。また、インクリボンカセット１０Ａは、第２のカバー１８を開けることで、インクリボン１Ａの巻き取り芯部２１の第２の収納部１５への着脱が可能となる。
【００３３】
インクリボンカセット１０Ａは、繰り出し芯部２０の一方の端部に取り付けられた第１の連結部材１２の軸支部１２ｃが、第１の収納部１４の第１の受け部１４ａに取り付けられる。また、繰り出し芯部２０の他方の端部に取り付けられた第２の連結部材１３の軸支部１３ｃが、第１の収納部１４の第２の受け部１４ｂに取り付けられる。そして、第１のカバー１７が閉じられる。
【００３４】
インクリボンカセット１０Ａは、巻き取り芯部２１の一方の端部に取り付けられた第１の連結部材１２の軸支部１２ｃが、第２の収納部１５の第１の受け部１５ａに取り付けられる。また、巻き取り芯部２１の他方の端部に取り付けられた第２の連結部材１３の軸支部１３ｃが、第２の収納部１５の第２の受け部１５ｂに取り付けられる。そして、第２のカバー１８が閉じられる。
【００３５】
これにより、インクリボンカセット１０Ａは、繰り出し芯部２０と巻き取り芯部２１との間のインクリボンテープ２がテープ搬送部１６に露出する。そして、巻き取り芯部２１を回転させることで、繰り出し芯部２０からインクリボンテープ２が繰り出され、巻き取り芯部２１でインクリボンテープ２が巻き取られて、テープ搬送部１６に露出したインクリボンテープ２が搬送される。
【００３６】
なお、本実施の形態のインクリボンカセット１０Ａは、識別情報記録部としてＲＦＩＤタグを備えても良い。ＲＦＩＤタグは、本体ケース１１に貼着される形態、あるいは、第１の収納部１４または第２の収納部１５内に収納されるタグ取付部材に貼着される形態等で取り付けられる。ＲＦＩＤタグは、記録された情報の無線通信による読み取り、及び、無線通信による情報の記録が可能に構成される。ＲＦＩＤタグは、識別情報として、本例では、インクリボンテープ２で印刷可能なインクの色情報、インクリボンテープ２で印刷可能なインクの種類に関する種別情報、インクリボンテープ２の使用量情報、製造者情報等が記録される。
【００３７】
次に、プリンタ１００Ａの構成について説明すると、本実施の形態のプリンタ１００Ａは、長尺状の剥離紙Ｐ１１に長尺状のシートＰ１が貼着された用紙Ｐを搬送して、シートＰ１に印刷を行うと共に、全切と称す用紙Ｐの全幅に亘る切断、シートＰ１の所定の形状での切り抜きや切断を行う機構を備える。
【００３８】
用紙Ｐは、シートＰ１の印刷面が外向きとなる外巻と称される形態で巻かれたロール紙Ｐ１０として提供される。用紙Ｐは、剥離紙Ｐ１１の幅方向の両端に、スプロケットホールと称す複数の貫通孔Ｐ１２が、長手方向に一定の間隔で形成される。なお、シートＰ１、剥離紙Ｐ１１にシートＰ１が貼着された用紙Ｐ、用紙Ｐが巻かれたロール紙Ｐ１０は、印刷媒体の一例である。
【００３９】
プリンタ１００Ａは、ロール紙Ｐ１０が装着される装着部１０１を備える。また、プリンタ１００Ａは、装着部１０１に装着されたロール紙Ｐ１０から引き出された用紙ＰのシートＰ１に印刷を行う印刷ヘッド１０２と、印刷ヘッド１０２に用紙Ｐを押圧して搬送するプラテンローラ１０３を備える。
【００４０】
更に、プリンタ１００Ａは、装着部１０１に装着されたロール紙Ｐ１０から引き出された用紙Ｐを搬送するスプロケットローラ１０４と、スプロケットローラ１０４に用紙Ｐを押さえる押さえローラ１０５ａ、１０５ｃと、用紙Ｐの幅方向において押さえローラ１０５ａの内側で用紙Ｐを押さえる従動押さえローラ１０５ｂと、用紙Ｐの幅方向において押さえローラ１０５ｃの内側で用紙Ｐを押さえる従動押さえローラ１０５ｄを備える。
【００４１】
また、プリンタ１００Ａは、用紙Ｐを清掃する第１の清掃部材１０６及び第２の清掃部材１０７と、用紙Ｐをガイドする第１のガイドローラ１０８及び第２のガイドローラ１０９と、シートＰ１の切り抜き及び切断を行う第１の切断刃部１１０と、全切と称す用紙Ｐの全幅にわたる切断を行う第２の切断刃部１１１を備える。
【００４２】
更に、プリンタ１００Ａは、図５等に示すインクリボンカセット１０Ａが取り付けられるカセット取付部１１２と、カセット取付部１１２に取り付けられたインクリボンカセット１０Ａを支持するカセット支持部１１３と、インクリボンカセット１０Ａのインクリボンテープ２を搬送するインクリボン搬送部１１４を備える。なお、インクリボンカセット１０ＡにＲＦＩＤタグを備える構成では、ＲＦＩＤタグと通信を行うアンテナを備える。
【００４３】
プリンタ１００Ａは、装着部１０１、プラテンローラ１０３、スプロケットローラ１０４、押さえローラ１０５ａ、１０５ｃ、従動押さえローラ１０５ｂ、１０５ｄ、第１の清掃部材１０６及び第２の清掃部材１０７、第１のガイドローラ１０８及び第２のガイドローラ１０９、第１の切断刃部１１０及び第２の切断刃部１１１、カセット支持部１１３を、プリンタ本体１２０に備える。
【００４４】
また、プリンタ１００Ａは、印刷ヘッド１０２、カセット取付部１１２、インクリボン搬送部１１４をカバー１２１に備える。カバー１２１は、プリンタ本体１２０に軸部１２２を支点に開閉可能に取り付けられる。プリンタ１００Ａは、プリンタ本体１２０の正面側に、用紙Ｐの排出口１２３が設けられる。
【００４５】
プリンタ１００Ａは、図１に示すように、カバー１２１を開くと、カセット取付部１１２に取り付けられたインクリボンカセット１０Ａが上方に退避して、用紙Ｐの搬送経路が露出する。これにより、装着部１０１にロール紙Ｐ１０を装着し、スプロケットローラ１０４と押さえローラ１０５ａ、１０５ｃとの間に用紙Ｐを通して、用紙Ｐを搬送可能な状態とすることができる。また、ロール紙Ｐ１０の交換が可能である。
【００４６】
更に、カバー１２１のカセット取付部１１２に対してインクリボンカセット１０Ａの着脱が可能である。
【００４７】
プリンタ１００Ａは、図２に示すように、カバー１２１が閉じられると、カセット取付部１１２に取り付けられたインクリボンカセット１０Ａが、プリンタ本体１２０のカセット支持部１１３で支持される。また、図３に示すように、インクリボンテープ２と用紙Ｐを挟んで、印刷ヘッド１０２とプラテンローラ１０３が対向する。
【００４８】
装着部１０１は、所定の径を有するロール紙Ｐ１０を収納可能な空間を設けて構成され、ロール紙Ｐ１０の外周を支持するシートローラ１０１ａが設けられる。
【００４９】
印刷ヘッド１０２は印刷手段の一例で、本例ではサーマルヘッドで構成される。印刷ヘッド１０２は、図示しないライン状の素子が、プラテンローラ１０３の軸方向に沿った向きで、プラテンローラ１０３と対向する配置で設けられる。印刷ヘッド１０２は、一例として、本実施の形態では、長手方向の長さが、シートＰ１の幅より長く構成される。
【００５０】
印刷ヘッド１０２は、支持部材１３０に取り付けられる。支持部材１３０は、印刷ヘッド１０２に対してインクリボンテープ２の繰り出し側に第１のガイドローラ１３１を備え、インクリボンテープ２の巻き取り側に第２のガイドローラ１３２を備える。また、支持部材１３０は、プラテンローラ１０３の軸１０３ａが入る軸受部１３３を備える。
【００５１】
印刷ヘッド１０２、第１のガイドローラ１３１及び第２のガイドローラ１３２は、後述するモータの動作で、支持部材１３０がプラテンローラ１０３に対して離接する方向に移動することで、プラテンローラ１０３に対して適切な位置に位置決めされる。
【００５２】
また、印刷ヘッド１０２は、図示しないバネで支持部材１３０がプラテンローラ１０３方向に付勢されることで、プラテンローラ１０３によって用紙Ｐが押圧される。
【００５３】
プラテンローラ１０３は搬送手段の一例で、本例では、後述するモータによって正逆両方向に回転駆動される１本のローラで構成される。プラテンローラ１０３は、軸方向に沿った長さが、用紙Ｐの幅より長く構成され、用紙Ｐの幅方向の全体に円周面が接するようにして、用紙Ｐを印刷ヘッド１０２に押圧する。
【００５４】
プリンタ１００Ａは、カバー１２１が閉じられると、印刷ヘッド１０２が取り付けられた支持部材１３０の軸受部１３３に、プラテンローラ１０３の軸が入ることで、プラテンローラ１０３に対して印刷ヘッド１０２の向きが規定される。
【００５５】
スプロケットローラ１０４は搬送手段の一例で、装着部１０１の側から第２の切断刃部１１１の側へ向かう正方向に搬送される用紙Ｐの搬送方向に対し、プラテンローラ１０３の下流側に設けられる。スプロケットローラ１０４は、用紙Ｐの幅方向の両端に設けられる貫通孔Ｐ１２の配置に合わせて、用紙Ｐの幅方向の両側に設けられ、用紙Ｐの貫通孔Ｐ１２に入るピン１０４ａが、貫通孔Ｐ１２の間隔に合わせて円周方向に設けられる。
【００５６】
スプロケットローラ１０４は、後述するモータによってプラテンローラ１０３と連動して正逆両方向に回転駆動される。プリンタ１００Ａでは、スプロケットローラ１０４及びプラテンローラ１０３が正方向に回転駆動されると、用紙Ｐが正方向に搬送され、プラテンローラ１０３で用紙Ｐが押圧された印刷ヘッド１０２で印刷が行われる。また、ロール紙Ｐ１０から用紙Ｐが引き出される。スプロケットローラ１０４及びプラテンローラ１０３が逆方向に回転駆動されると、用紙Ｐが逆方向に搬送される。
【００５７】
押さえローラ１０５ａは、スプロケットローラ１０４と対向して設けられ、後述するモータによってスプロケットローラ１０４及びプラテンローラ１０３と連動して正逆両方向に回転駆動される。
【００５８】
従動押さえローラ１０５ｂは、押さえローラ１０５ａと同軸上で一対の押さえローラ１０５ａの間に設けられ、用紙Ｐの幅方向において押さえローラ１０５ａの内側で用紙Ｐを押さえる。従動押さえローラ１０５ｂは、押さえローラ１０５ａを回転させる駆動力が伝達されず、用紙Ｐの搬送に従動して回転する。
【００５９】
押さえローラ１０５ｃは、正方向に搬送される用紙Ｐの搬送方向に対し、押さえローラ１０５ａの下流側で、スプロケットローラ１０４と対向して設けられる。押さえローラ１０５ｃは、後述するモータによってスプロケットローラ１０４及びプラテンローラ１０３と連動して正逆両方向に回転駆動される。
【００６０】
従動押さえローラ１０５ｄは、押さえローラ１０５ｃと同軸上で一対の押さえローラ１０５ｃの間に設けられ、用紙Ｐの幅方向において押さえローラ１０５ｃの内側で用紙Ｐを押さえる。従動押さえローラ１０５ｄは、押さえローラ１０５ｃを回転させる駆動力が伝達されず、用紙Ｐの搬送に従動して回転する。
【００６１】
第１の清掃部材１０６は、繊維が絡められた材料で構成され、正方向に搬送される用紙Ｐの搬送方向に対し、スプロケットローラ１０４の下流側に設けられる。第１の清掃部材１０６は、用紙Ｐの搬送経路から退避可能に構成される。
【００６２】
第２の清掃部材１０７は清掃手段の一例で、繊維が絡められた材料で構成され、正方向に搬送される用紙Ｐの搬送方向に対し、プラテンローラ１０３の上流側に設けられる。第２の清掃部材１０７は、用紙Ｐの搬送経路から退避可能に構成される。
【００６３】
第１のガイドローラ１０８は第１のガイド部材の一例で、正方向に搬送される用紙Ｐの搬送方向に対し、第２の清掃部材１０７の下流側で、プラテンローラ１０３の上流側に設けられる。第２のガイドローラ１０９はガイド手段及び第２のガイド部材の一例で、正方向に搬送される用紙Ｐの搬送方向に対し、第２の清掃部材１０７の上流側に設けられる。第２のガイドローラ１０９は、第２の清掃部材１０７と連動して、用紙Ｐの搬送経路から退避可能に構成される。
【００６４】
本例では、第２の清掃部材１０７が取り付けられる取付部材１４０と、第１のガイドローラ１０８及び第２のガイドローラ１０９が取り付けられる取付部材１４１が、取付部材１４０に設けられた操作レバー１４０ａの操作で連動して変位し、第２の清掃部材１０７と第２のガイドローラ１０９が、用紙Ｐの搬送経路を構成する搬送ガイド１５０に対し離接する方向に変位可能に構成される。
【００６５】
第１の切断刃部１１０は、正方向に搬送される用紙Ｐの搬送方向に対し、押さえローラ１０５ａと従動押さえローラ１０５ｂが設けられた軸部材と、押さえローラ１０５ｃと従動押さえローラ１０５ｄが設けられた軸部材との間で、左右一対のスプロケットローラ１０４の間の部位と対向するように設けられる。第１の切断刃部１１０は、後述するモータに駆動されて用紙Ｐの幅方向に移動可能に構成され、用紙Ｐの搬送と、第１の切断刃部１１０の移動により、剥離紙Ｐ１１に貼着されたシートＰ１の任意の形状での切り抜きや切断が行われる。
【００６６】
第２の切断刃部１１１は、正方向に搬送される用紙Ｐの搬送方向に対し、第１の清掃部材１０６の下流側に設けられ、印刷等の所定の処理が終了した用紙Ｐを全幅に亘って切断する。
【００６７】
カセット取付部１１２は、図６等に示すインクリボンカセット１０Ａが入る空間をカバー１２１に設けて構成され、インクリボンカセット１０Ａを着脱可能に係止する図示しない係止機構を備える。プリンタ１００Ａは、カセット取付部１１２にインクリボンカセット１０Ａが取り付けられると、テープ搬送部１６に露出したインクリボンテープ２が印刷ヘッド１０２と対向する。
【００６８】
カセット取付部１１２は、図５等に示すインクリボンカセット１０Ａの繰り出し芯部２０に取り付けられた第１の連結部材１２の軸部１２ｅ、及び、第２の連結部材１３の軸部１３ｅ、巻き取り芯部２１に取り付けられた第１の連結部材１２の軸部１２ｅ、及び、第２の連結部材１３の軸部１３ｅを押圧する押圧部１１２ａを備える。
【００６９】
カセット支持部１１３は、図５等に示すインクリボンカセット１０Ａの繰り出し芯部２０に取り付けられた第１の連結部材１２の軸部１２ｅ、及び、第２の連結部材１３の軸部１３ｅ、巻き取り芯部２１に取り付けられた第１の連結部材１２の軸部１２ｅ、及び、第２の連結部材１３の軸部１３ｅが入る位置に設けられる。
【００７０】
プリンタ１００Ａは、カセット取付部１１２にインクリボンカセット１０Ａが取り付けられたカバー１２１を閉じる動作で、繰り出し芯部２０及び巻き取り芯部２１に取り付けられた第１の連結部材１２の軸部１２ｅ及び第２の連結部材１３の軸部１３ｅが、押圧部１１２ａで押圧された状態で、それぞれ対応するカセット支持部１１３で支持される。
【００７１】
これにより、インクリボンテープ２が巻かれる繰り出し芯部２０及び巻き取り芯部２１の軸方向の向きが、プラテンローラ１０３及びスプロケットローラ１０４で搬送される用紙Ｐの搬送方向に略直交する向きに合わせられ、用紙Ｐとインクリボンテープ２が略平行に搬送される。
【００７２】
インクリボン搬送部１１４は、図５等に示すインクリボンカセット１０Ａの繰り出し芯部２０に取り付けられた第１の連結部材１２のギア１２ｄ、及び、第２の連結部材１３のギア１３ｄとかみ合うギア１１４ａと、ギア１１４ａと図示しない軸を介して連結される図示しない制動部材を備える。
【００７３】
また、インクリボン搬送部１１４は、インクリボンカセット１０Ａの巻き取り芯部２１に取り付けられた第１の連結部材１２のギア１２ｄ、及び、第２の連結部材１３のギア１３ｄとかみ合うギア１１４ｂと、ギア１１４ｂを駆動する後述するモータを備える。
【００７４】
プリンタ１００は、カバー１２１のカセット取付部１１２にインクリボンカセット１０Ａが取り付けられると、繰り出し芯部２０及び巻き取り芯部２１に取り付けられた第１の連結部材１２のギア１２ｄ及び第２の連結部材１３のギア１３ｄが、それぞれ対応するギア１１４ａ、ギア１１４ｂとかみ合う。
【００７５】
また、プリンタ１００Ａは、カセット取付部１１２にインクリボンカセット１０Ａが取り付けられたカバー１２１を閉じる動作で、繰り出し芯部２０及び巻き取り芯部２１に取り付けられた第１の連結部材１２の軸部１２ｅ及び第２の連結部材１３の軸部１３ｅが、それぞれ対応するカセット支持部１１３で支持された状態で、第１の連結部材１２のギア１２ｄ及び第２の連結部材１３のギア１３ｄと、それぞれ対応するギア１１４ａ、ギア１１４ｂのかみ合いが保持される。
【００７６】
図７及び図８は、従動押さえローラ及びガイドローラの一例を示す構成図である。ここで、図７は、従動押さえローラ１０５ｂ、１０５ｄ及び、第１のガイドローラ１０８、第２のガイドローラ１０９の斜視図、図８は、従動押さえローラ１０５ｂ、１０５ｄ及び、第１のガイドローラ１０８、第２のガイドローラ１０９の断面図である。
【００７７】
従動押さえローラ１０５ｂ、１０５ｄはガイドローラの一例で、プラスチックで構成される。従動押さえローラ１０５ｂ、１０５ｄは、本例では、軸方向の一方の端部側と他方の端部側の２か所に、円周面から径方向に突出させたフランジ部１０５ｅが形成される。フランジ部１０５ｅは接触部の一例で、従動押さえローラ１０５ｂ、１０５ｄの軸方向に沿って所定の幅を有し、２つのフランジ部１０５ｅが、従動押さえローラ１０５ｂ、１０５ｄの中心から同一の半径で円周方向に沿って延在する。フランジ部１０５ｅは、幅が１ｍｍ程度に構成される。
【００７８】
第１のガイドローラ１０８はガイドローラの一例で、プラスチックで構成される。第１のガイドローラ１０８は、本例では、軸方向の一方の端部側と他方の端部側の２か所に、円周面から径方向に突出させたフランジ部１０８ａが形成される。フランジ部１０８ａは接触部の一例で、第１のガイドローラ１０８の軸方向に沿って所定の幅を有し、２つのフランジ部１０８ａが、第１のガイドローラ１０８の中心から同一の半径で円周方向に沿って延在する。フランジ部１０８ａは、幅が１ｍｍ程度に構成される。
【００７９】
第２のガイドローラ１０９はガイドローラの一例で、プラスチックで構成される。第２のガイドローラ１０９は、本例では、軸方向の一方の端部側と他方の端部側の２か所に、円周面から径方向に突出させたフランジ部１０９ａが形成される。フランジ部１０９ａは接触部の一例で、第２のガイドローラ１０９の軸方向に沿って所定の幅を有し、２つのフランジ部１０９ａが、第２のガイドローラ１０９の中心から同一の半径で円周方向に沿って延在する。フランジ部１０９ａは、幅が１ｍｍ程度に構成される。
【００８０】
＜本実施の形態のプリンタの機能構成例＞
図９は、本実施の形態のプリンタの機能の一例を示すブロック図である。本実施の形態のプリンタ１００Ａは、印刷データに基づく文字、画像等の印刷、輪郭データに基づくシートＰ１の切り抜きや切断、切断データに基づく用紙Ｐの全切と称する全幅に亘る切断等を制御する制御部２００を備える。
【００８１】
また、プリンタ１００Ａは、プラテンローラ１０３、スプロケットローラ１０４及び押さえローラ１０５ａ、１０５ｃを駆動する用紙搬送モータ２０１と、巻き取り芯部２１を駆動するインクリボン搬送モータ２０２を備える。また、プリンタ１００は、第１の切断刃部１１０を駆動する第１の切断モータ２０３と、第２の切断刃部１１１を駆動する第２の切断モータ２０４を備える。更に、プリンタ１００Ａは、用紙Ｐの先端を検出する用紙センサ２０５を備える。
【００８２】
また、プリンタ１００Ａは、印刷ヘッド１０２が取り付けられた支持部材１３０を、プラテンローラ３に対して離接する方向に移動させる印刷ヘッド昇降モータ２０６と、第１の清掃部材１０６を、用紙Ｐの搬送経路に対して離接する方向に移動させる清掃部材昇降ソレノイド２０７を備える。更に、プリンタ１００Ａは、用紙Ｐの搬送操作等を受ける操作部２０８を備える。
【００８３】
制御部２００は制御手段の一例で、パーソナルコンピュータ等の図示しない外部の情報処理装置から印刷データ等を取得し、印刷ヘッド１０２、用紙搬送モータ２０１及びインクリボン搬送モータ２０２と、印刷ヘッド昇降モータ２０６及び清掃部材昇降ソレノイド２０７を駆動して、用紙ＰのシートＰ１に印刷を行う。また、制御部２００は、用紙搬送モータ２０１及び第１の切断モータ２０３を駆動して、シートＰ１の所定の形状での切り抜き、切断を行う。更に、制御部２００は、用紙搬送モータ２０１及び第２の切断モータ２０４を駆動して、用紙Ｐを指定の位置で全幅に亘って切断する。
【００８４】
＜本実施の形態のプリンタの動作例＞
図１０、図１１及び図１２は、本実施の形態のプリンタの清掃、印刷動作を示す説明図で、次に、各図を参照して、本実施の形態のプリンタ１００Ａの動作例について説明する。まず、用紙Ｐを装填する動作について説明すると、プリンタ１００Ａは、図１に示すように、カバー１２１を開くと、カセット取付部１１２に取り付けられたインクリボンカセット１０Ａが上方に退避して、用紙Ｐの搬送経路が露出する。
【００８５】
カバー１２１を開くときには、予め印刷ヘッド１０２が退避位置へ移動した状態になっているので、操作レバー１４０ａが支持部材１３０と一体的に設けられているプレッシャプレート１３０ａで押圧されていない。このため、第２の清掃部材１０７は、用紙Ｐと非接触になる退避位置に移動した状態となっている。また、第２のガイドローラ１０９は、用紙Ｐの逆方向搬送時に用紙Ｐの湾曲を押さえる第２の押さえ位置に位置した状態となっている。第２の清掃部材１０７が退避位置に移動して、第２のガイドローラ１０９が第２の押さえ位置に移動すると、第２の清掃部材１０７及び第２のガイドローラ２０９が用紙Ｐの搬送経路を構成する搬送ガイド１５０から離間することで、搬送ガイド１５０と、第２の清掃部材１０７及び第２のガイドローラ１０９との間に、用紙Ｐを通す動作が容易に行える。このとき、第２の清掃部材１０７は、第１のガイドローラ１０８と第２のガイドローラ１０９との間に位置しているので、ロール紙Ｐ１０や、ロール紙Ｐ１０を交換する作業者等が第２の清掃部材１０７に接触することが減らせて、第２の清掃部材１０７に異物が付着することを抑制できる。
【００８６】
用紙Ｐは、ロール紙Ｐ１０が装着部１０１に装填され、スプロケットローラ１０４と押さえローラ１０５ａ、１０５ｃとの間に用紙Ｐが通されて、スプロケットローラ１０４のピン１０４ａに、剥離紙Ｐ１１に形成された貫通孔Ｐ１２が入れられる。これにより、カバー１２１が閉じられることで、スプロケットローラ１０４による用紙Ｐの搬送が可能な状態で、ロール紙Ｐ１０が装填される。
【００８７】
次に、用紙Ｐの清掃動作について説明する。用紙Ｐの清掃動作では、制御部２００は、清掃部材昇降ソレノイド２０７を駆動して、図１０に示すように、第１の清掃部材１０６を、用紙Ｐと非接触になる退避位置へ移動させ、第１の清掃部材１０６を用紙Ｐから離間させる。
【００８８】
また、制御部２００は、印刷ヘッド昇降モータ２０６を駆動して、印刷ヘッド１０２を、プラテンローラ１０３と非接触になる退避位置へ移動させる。プリンタ１００Ａでは、印刷ヘッド１０２が退避位置へ移動すると、操作レバー１４０ａがプレッシャプレート１３０ａで押圧されず、第２の清掃部材１０７が、用紙Ｐと非接触になる退避位置に移動される。また、第２のガイドローラ１０９は、用紙Ｐの逆方向搬送時に用紙Ｐの湾曲を押さえる第２の押さえ位置に位置する。
【００８９】
制御部２００は、用紙Ｐからインクリボンテープ２を離間させた状態、用紙Ｐから第１の清掃部材１０６及び第２の清掃部材１０７を離間させた状態、かつ、用紙Ｐから第２のガイドローラ１０９を離間させた状態で、用紙搬送モータ２０１を駆動して、プラテンローラ１０３、スプロケットローラ１０４及び押さえローラ１０５ａ、１０５ｃを矢印Ｆ１で示す正転方向に回転させる。
【００９０】
これにより、用紙Ｐが矢印Ｆ２で示す正方向に搬送される。制御部２００は、用紙センサ２０５が用紙Ｐの正方向への搬送の先端を検知すると、予め設定された送り量、用紙Ｐを正方向に搬送して、用紙搬送モータ２０１を停止する。以上の搬送動作で搬送された用紙Ｐにおいて、用紙Ｐの先端から、第１の清掃部材１０６と対向する位置までが、清掃動作での第１の清掃部材１０６による清掃範囲となる。
【００９１】
制御部２００は、清掃部材昇降ソレノイド２０７を駆動して、図１１に示すように、第１の清掃部材１０６を、用紙Ｐと非接触になる退避位置から、用紙Ｐと接触する清掃位置に移動させる。また、制御部２００は、印刷ヘッド１０２を退避位置で保持することで、第２の清掃部材１０７を退避位置で保持する、また、第２のガイドローラ１０９は、第２の押さえ位置に位置する。
【００９２】
図１１に示すように、制御部２００は、用紙Ｐに第１の清掃部材１０６を接触させた状態で、用紙搬送モータ２０１を駆動して、プラテンローラ１０３、スプロケットローラ１０４及び押さえローラ１０５ａ、１０５ｃを矢印Ｒ１で示す逆転方向に回転させる。
【００９３】
これにより、用紙Ｐが矢印Ｒ２で示す逆方向に搬送される。矢印Ｒ２で示す逆方向に用紙Ｐを搬送して清掃を行う動作では、第１の清掃部材１０６が用紙Ｐの印刷面に接触した状態で、用紙Ｐが搬送される。よって、矢印Ｆ２で示す正方向への用紙Ｐの搬送で、第１の清掃部材１０６を通過させた清掃範囲の印刷面が、矢印Ｒ２で示す逆方向への用紙Ｐの搬送によって、第１の清掃部材１０６により清掃される。
【００９４】
図１３は、本実施の形態のプリンタと従来の対比例を示す動作説明図である。ロール紙Ｐ１０は、用紙Ｐの繰り出しによって従動して回転する構成であるが、用紙Ｐの逆方向の搬送では、搬送量に対して回転量が少なく、用紙Ｐが撓む。
【００９５】
プリンタ１００Ａは、上述した清掃動作では、印刷ヘッド１０２を退避位置に移動させた状態であり、第２の清掃部材１０７及び第２のガイドローラ１０９は、用紙Ｐの搬送経路から退避している。
【００９６】
しかし、第２のガイドローラ１０９を備えていない従来の構成では、矢印Ｒ２で示す逆方向に搬送される用紙Ｐが図１１に示すように撓むことで、図１３（ａ）に示すように、退避位置に移動した第２の清掃部材１０７に用紙Ｐが接触する可能性があった。
【００９７】
矢印Ｒ２で示す逆方向に搬送される用紙Ｐが第２の清掃部材１０７に接触すると、用紙Ｐに付着していた異物Ｇが、第２の清掃部材１０７の一方の端部に付着する可能性がある。
【００９８】
用紙Ｐを逆方向に搬送する動作で第２の清掃部材１０７の一方の端部に異物Ｇが付着すると、この用紙Ｐを矢印Ｆ２で示す正方向に搬送する動作では、第２の清掃部材１０７において、搬送方向の先端側に異物Ｇが付着した状態となる。
【００９９】
これにより、図１３（ｂ）に示すように、第２の清掃部材１０７を用紙Ｐに接触させ、この用紙Ｐを矢印Ｆ２で示す正方向に搬送して印刷を行う動作で、異物Ｇが用紙Ｐに付着する可能性がある。印刷ヘッド１０２の上流側で用紙Ｐに異物Ｇが付着すると、異物Ｇが付着した箇所及びその周辺部で印刷抜けが発生し、印刷品位が低下する可能性があった。
【０１００】
これに対し、本実施の形態のプリンタ１００Ａでは、第２の清掃部材１０７の上流側に第２のガイドローラ１０９を備えたことで、用紙Ｐが矢印Ｒ２に示す逆方向に搬送されて用紙Ｐが撓むと、用紙Ｐの撓んだ部分が第２のガイドローラ１０９で押さえられ、図１３（ｃ）に示すように、用紙Ｐの印刷がなされる側であるシートＰ１が第２の清掃部材１０７に接触することが抑制される。
【０１０１】
よって、第１の清掃部材１０６で用紙Ｐから除去しきれない異物Ｇが第２の清掃部材１０７の一方の端部に付着することが抑制される。従って、図１３（ｄ）に示すように、第２の清掃部材１０７を用紙Ｐに接触させ、この用紙Ｐを矢印Ｆ２で示す正方向に搬送して印刷を行う動作で、異物Ｇを第２の清掃部材１０７で用紙Ｐから除去することができる。このように、印刷ヘッド１０２の上流側での用紙Ｐへの異物Ｇの付着を抑制できることで、印刷抜けの発生を抑制し、印刷品位を向上させることができる。また、図１１に示すように、正方向に搬送される用紙Ｐの搬送方向に対し、第２の清掃部材１０７の下流側に第１のガイドローラ１０８を配設し、第２の清掃部材１０７の上流側に第２のガイドローラ１０９を配設することにより、用紙Ｐが図１１に示すように撓んだ場合であっても、用紙Ｐの撓んだ部分と、退避位置に移動した第２の清掃部材１０７との接触をより好適に抑制できる。
【０１０２】
第２のガイドローラ１０９は、用紙Ｐの印刷がなされる側であるシートＰ１との接触箇所がフランジ部１０９ａであり、接触面積が少ないので、第２のガイドローラ１０９が接触する用紙Ｐの印刷面に第２のガイドローラ１０９が接した跡が付くことが抑制される。また、第２のガイドローラ１０９は、用紙Ｐの搬送で従動して回転するので、第２のガイドローラ１０９から用紙Ｐに搬送力が掛からず、スリップ等に起因して跡が付くことが抑制される。
【０１０３】
制御部２００は、矢印Ｒ２に示す逆方向に搬送される用紙Ｐの先端を用紙センサ２０５で検知すると、用紙搬送モータ２０１を停止する。以上の清掃動作で、後述する印刷動作で印刷ヘッド１０２により印刷される用紙Ｐの印刷面が、第１の清掃部材１０６で清掃される。
【０１０４】
印刷動作では、制御部２００は、清掃部材昇降ソレノイド２０７を駆動して、図１２に示すように、第１の清掃部材１０６を、用紙Ｐと接触する清掃位置から、用紙Ｐと非接触になる退避位置へ移動させ、第１の清掃部材１０６を用紙Ｐから離間させる。
【０１０５】
また、制御部２００は、印刷ヘッド昇降モータ２０６を駆動して、印刷ヘッド１０２を、プラテンローラ１０３と非接触になる退避位置から、プラテンローラ１０３と接触する印刷位置へ移動させて、印刷ヘッド１０２とプラテンローラ１０３で、用紙Ｐにインクリボンテープ２が押圧された状態とする。
【０１０６】
プリンタ１００Ａでは、印刷ヘッド１０２が印刷位置に移動すると、プレッシャプレート１３０ａで操作レバー１４０ａが押圧される。これにより、第２の清掃部材１０７が、用紙Ｐと非接触になる退避位置から、用紙Ｐと接触する清掃位置に移動される。また、第２のガイドローラ１０９が、用紙Ｐの逆方向搬送時に用紙Ｐの湾曲を押さえる第２の押さえ位置から、用紙Ｐの正方向搬送時に用紙Ｐを押さえる第１の押さえ位置に移動される。なお、第２のガイドローラ１０９は、第２の押さえ位置に位置した状態であっても良い。
【０１０７】
制御部２００は、用紙Ｐにインクリボンテープ２が押圧された状態、かつ、第２の清掃部材１０７が用紙Ｐに押圧された状態で、用紙搬送モータ２０１を駆動して、プラテンローラ１０３、スプロケットローラ１０４及び押さえローラ１０５ａ、１０５ｃを矢印Ｆ１で示す正転方向に回転させる。また、インクリボン搬送モータ２０２を駆動して、巻き取り芯部２１を回転させて、用紙Ｐの搬送に合わせてインクリボン２を搬送する。更に、印刷ヘッド１０２を駆動する。
【０１０８】
これにより、用紙Ｐが矢印Ｆ２で示す正方向に搬送され、用紙Ｐの搬送に合わせてインクリボンテープ２が搬送されて、印刷データに応じた文字、画像等が、印刷ヘッド１０２でシートＰ１に印刷される。
【０１０９】
また、矢印Ｆ２で示す正方向に用紙Ｐを搬送して印刷を行う動作では。用紙Ｐの搬送方向に対し、印刷ヘッド１０２の上流側で第２の清掃部材１０７が用紙Ｐの印刷面であるシートＰ１に接触した状態で、用紙Ｐが搬送される。
【０１１０】
これにより、印刷ヘッド１０２に搬送される前の用紙Ｐの印刷面が、第２の清掃部材１０７により清掃されるので、用紙Ｐの印刷面にゴミの異物が付着した状態で印刷ヘッド１０２による印刷が行われることを抑制することができる。
【０１１１】
第２のガイドローラ１０９は、上述したように、用紙Ｐの印刷がなされる側であるシートＰ１との接触箇所がフランジ部１０９ａであり、接触面積が少ないので、第２のガイドローラ１０９が接触する用紙Ｐの印刷面に第２のガイドローラ１０９が接した跡が付くことが抑制される。
【０１１２】
第１のガイドローラ１０８は、第２のガイドローラ１０９と同様に、用紙Ｐの印刷がなされる側であるシートＰ１との接触箇所がフランジ部１０８ａであり、接触面積が少ないので、第１のガイドローラ１０８が接触する用紙Ｐの印刷面に第１のガイドローラ１０８が接した跡が付くことが抑制される。また、第１のガイドローラ１０８は、用紙Ｐの搬送で従動して回転するので、第１のガイドローラ１０８から用紙Ｐに搬送力が掛からず、スリップ等に起因して跡が付くことが抑制される。
【０１１３】
更に、従動押さえローラ１０５ｂ、１０５ｄも、第１のガイドローラ１０８及び第２のガイドローラ１０９と同様に、用紙Ｐの印刷がなされる側であるシートＰ１との接触箇所がフランジ部１０５ｅであり、接触面積が少ないので、従動押さえローラ１０５ｂ、１０５ｄが接触する用紙Ｐの印刷面に従動押さえローラ１０５ｂ、１０５ｄが接した跡が付くことが抑制される。また、従動押さえローラ１０５ｂ、１０５ｄは、用紙Ｐの搬送で従動して回転するので、従動押さえローラ１０５ｂ、１０５ｄから用紙Ｐに搬送力が掛からず、スリップ等に起因して跡が付くことが抑制される。
【０１１４】
＜従動押さえローラ及びガイドローラの変形例＞
図１４、図１５及び図１６は、従動押さえローラ及びガイドローラの変形例を示す構成図である。以下の例では、従動押さえローラを例に説明するが、第１のガイドローラ及び第２のガイドローラも同様の構成とすることができる。
【０１１５】
従動押さえローラ１０５ｂ、１０５ｄの変形例である図１４に示す変形例の従動押さえローラ１０５ｂ１は、プラスチックで構成され、軸方向に沿った任意の１箇所に、円周面から径方向に突出させたフランジ部１０５ｅ１が形成される。フランジ部１０５ｅ１は接触部の一例で、本例では、従動押さえローラ１０５ｂ１の軸方向に沿った中央に設けられる。フランジ部１０５ｅ１は、従動押さえローラ１０５ｂ１の軸方向に沿って所定の幅を有し、従動押さえローラ１０５ｂ１の中心から同一の半径で円周方向に沿って延在する。
【０１１６】
図１４に示す変形例の第１のガイドローラ１０８ｂ１及び第２のガイドローラ１０９ｂ１は、従動押さえローラ１０５ｂ１と同様の構成で、軸方向に沿った任意の１箇所に、円周面から径方向に突出させたフランジ部１０８ｃ１、フランジ部１０９ｃ１が形成される。フランジ部１０８ｃ１、フランジ部１０９ｃ１は接触部の一例で、本例では、第１のガイドローラ１０８ｂ１及び第２のガイドローラ１０９ｂ１の軸方向に沿った中央に設けられる。フランジ部１０８ｃ１、フランジ部１０９ｃ１は、第１のガイドローラ１０８ｂ１及び第２のガイドローラ１０９ｂ１の軸方向に沿って所定の幅を有し、第１のガイドローラ１０８ｂ１及び第２のガイドローラ１０９ｂ１の中心から同一の半径で円周方向に沿って延在する。
【０１１７】
図１５に示す変形例の従動押さえローラ１０５ｂ２は、プラスチックで構成され、軸方向に沿った任意の３箇所以上に、円周面から径方向に突出させたフランジ部１０５ｅ２が形成される。フランジ部１０５ｅ２は接触部の一例で、本例では、従動押さえローラ１０５ｂ２の軸方向に沿った一方の端部及び他方の端部と、中央の３箇所に設けられる。フランジ部１０５ｅ２は、従動押さえローラ１０５ｂ２の軸方向に沿って所定の幅を有し、従動押さえローラ１０５ｂ２の中心から同一の半径で円周方向に沿って延在する。
【０１１８】
図１５に示す変形例の第１のガイドローラ１０８ｂ２及び第２のガイドローラ１０９ｂ２は、従動押さえローラ１０５ｂ２と同様の構成で、軸方向に沿った任意の３箇所以上に、円周面から径方向に突出させたフランジ部１０８ｃ２、フランジ部１０９ｃ２が形成される。フランジ部１０８ｃ２、フランジ部１０９ｃ２は接触部の一例で、本例では、第１のガイドローラ１０８ｂ２及び第２のガイドローラ１０９ｂ２の軸方向に沿った一方の端部及び他方の端部と、中央の３箇所に設けられる。フランジ部１０８ｃ２、フランジ部１０９ｃ２は、第１のガイドローラ１０８ｂ２及び第２のガイドローラ１０９ｂ２の軸方向に沿って所定の幅を有し、第１のガイドローラ１０８ｂ２及び第２のガイドローラ１０９ｂ２の中心から同一の半径で円周方向に沿って延在する。
【０１１９】
図１６に示す変形例の従動押さえローラ１０５ｂ３は、プラスチックで構成され、軸方向に沿った任意の箇所の径を、他の箇所より大きくした拡径部１０５ｆが形成される。拡径部１０５ｆは接触部の一例で、本例では、従動押さえローラ１０５ｂ３の軸方向に沿った中央の１箇所に設けられ、従動押さえローラ１０５ｂ３は、断面形状が略菱形、あるいは略樽型に構成される。
【０１２０】
図１６に示す変形例の第１のガイドローラ１０８ｂ３及び第２のガイドローラ１０９ｂ３は、従動押さえローラ１０５ｂ３と同様の構成で、軸方向に沿った任意の箇所の径を、他の箇所より大きくした拡径部１０８ｄ、１０９ｄが形成される。拡径部１０８ｄ、１０９ｄは接触部の一例で、本例では、第１のガイドローラ１０８ｂ３及び第２のガイドローラ１０９ｂ３の軸方向に沿った中央の１箇所に設けられ、第１のガイドローラ１０８ｂ３及び第２のガイドローラ１０９ｂ３は、断面形状が略菱形、あるいは略樽型に構成される。
【０１２１】
何れの変形例の従動押さえローラ、第１のガイドローラ及び第２のガイドローラでも、用紙との接触面積が少ないので、各ローラが接触する用紙の印刷面に跡が付くことが抑制される。なお、何れの従動押さえローラ、第１のガイドローラ及び第２のガイドローラの材質は、プラスチックに限るものではなく、金属やゴムであっても良い。
【産業上の利用可能性】
【０１２２】
本発明は、熱と圧力で転写されるインクリボンテープを使用したプリンタに適用される。
【符号の説明】
【０１２３】
１Ａ・・・インクリボン、２・・・インクリボンテープ、２０・・・繰り出し芯部、２１・・・巻き取り芯部、１０Ａ・・・インクリボンカセット、１１・・・本体ケース、１２・・・第１の連結部材、１３・・・第２の連結部材、１４・・・第１の収納部、１５・・・第２の収納部、１６・・・テープ搬送部、１７・・・第１のカバー、１８・・・第２のカバー、１００Ａ・・・プリンタ、１０１・・・装着部、１０２・・・印刷ヘッド、１０３・・・プラテンローラ、１０４・・・スプロケットローラ、１０４ａ・・・ピン、１０５ａ・・・押さえローラ、１０５ｂ・・・従動押さえローラ、１０６・・・第１の清掃部材、１０７・・・第２の清掃部材、１０８・・・第１のガイドローラ、１０９・・・第２のガイドローラ、１１０・・・第１の切断刃部、１１１・・・第２の切断刃部、１１２・・・カセット取付部、１１３・・・カセット支持部、１１４・・・インクリボン搬送部、１２０・・・プリンタ本体、１２１・・・カバー、１２２・・・軸部
【図１】
0006586831.tif 000002
【図２】
0006586831.tif 000003
【図３】
0006586831.tif 000004
【図４】
0006586831.tif 000005
【図５】
0006586831.tif 000006
【図６】
0006586831.tif 000007
【図７】
0006586831.tif 000008
【図８】
0006586831.tif 000009
【図９】
0006586831.tif 000010
【図１０】
0006586831.tif 000011
【図１１】
0006586831.tif 000012
【図１２】
0006586831.tif 000013
【図１３】
0006586831.tif 000014
【図１４】
0006586831.tif 000015
【図１５】
0006586831.tif 000016
【図１６】
0006586831.tif 000017